(57)【特許請求の範囲】
【請求項１】
珪酸アルカリ水溶液をカチオン交換樹脂によるイオン交換で脱アルカリし、次に、酸またはアルカリで熟成してシロキサン結合を強化してビルドアップすることにより得られた安定なゾル粒子よりなる酸性珪酸ゾルに、肥効成分として少なくともリン酸質肥料成分及びマグネシウム質肥料成分を同時に含有させてなることを特徴とするコロイド状珪酸含有液体肥料。
【請求項２】
酸性珪酸ゾルはＳｉＯ２換算量で１〜１０重量％、リン酸質肥料成分はＰ２Ｏ５換算量で１〜７重量％及びマグネシウム質肥料成分はＭｇＯ換算量で１〜７重量％であって、且つｐＨが５以下である、請求項１記載のコロイド状珪酸含有液体肥料。
【請求項３】
他の肥効成分として窒素、カリウム、カルシウム及び微量要素成分から選ばれた少なくとも１種をイオン状態で含有してなる、請求項１または２記載のコロイド状珪酸含有液体肥料。
【請求項４】
安定剤としてオキシカルボン酸（塩）、アミノ酸（塩）、ポリリン酸アルカリ及びホスホン酸から選ばれた少なくとも１種のキレート剤を含有してなる、請求項１ないし３のいずれか１項記載のコロイド状珪酸含有液体肥料。
【発明の詳細な説明】
【０００１】
【発明の属する技術分野】
本発明は、沈殿物が生成し難いコロイド状珪酸含有液体肥料に関するものである。詳しくは、酸性珪酸ゾル、リン酸質肥料成分及びマグネシウム質肥料成分を含有し、必要に応じて、窒素質肥料成分、カリウム質肥料成分、カルシウム質肥料成分及び微量成分を含有する、沈殿物が生成し難いコロイド状珪酸含有液体肥料に関するものである。
【０００２】
【従来の技術】
一般に、植物体内で糖分を分解させてエネルギーを発生させる反応を起こすためにはリン酸が必要であることが知られている。その際に、これら糖分とリン酸との結合を促進させたり、リン酸の移動を行うためには酵素の関与が必要である。また、このように酵素が関与することによって、糖分を分解させる反応を円滑に行うことができるようになり、そのためにはマグネシウムの存在が必須である。
【０００３】
それ故、このような観点から、「マグネシウムはリン酸の運搬者である。」と呼ばれており、植物体内でリン酸を効率良く働かせるためには、マグネシウムを存在させることが必須の条件となっている。具体的には、一般に、植物体内の有機的代謝において、マグネシウムが不足すると、各種の窒素化合物が増加し、特に、アマイド態窒素の集積が著しくなり、蛋白質もまた増加する。しかし、これに反して、全糖や非還元糖の生成はマグネシウムが不足すると減少することが知られている。
【０００４】
従って、米の生産においてはマグネシウムが不足すると蛋白質が増加して米の食味を低下させることから、食味の良い米を生産するためには、マグネシウムを多く与えて、全糖や非還元糖の生成を増加させなければならない。
【０００５】
一方、リン酸を単独で作物に与えるよりも、リン酸をマグネシウムと一緒に作物に与えた方が、より多く作物に吸収させることができると言われており、その根拠として、山崎伝氏等が水稲、ハダカムギ、サツマイモ、その他の作物で実験(農水省東海近畿農業試験場報告３、７３、１９４５〜１９４９)、及び鈴木新一及び前田正男両氏が水稲にて実験(農水省中国農業試験場１９５５年度報告)を挙げることができる。
【０００６】
更に、大川金作、田中了三郎氏等は、珪酸とマグネシウムとの関係を水稲、大麦、ハダカムギで試験し、マグネシウムを与えずに珪酸のみを与える場合には、生育が不良となり、珪酸のみを与えても効果を発揮し得ないことを明らかにしている(日本土壌学会誌１６、９、１９４２)。
【０００７】
一方、石塚喜明、早川康夫氏等は、水稲のいもち病に対する抵抗性と珪酸マグネシウムとの関係について報告(日本土壌学会誌２１、４、１９５１)し、いもち病の抵抗性を増大させるためには、珪酸の吸収量を高めて細胞を珪酸化すると共に、植物体内の可溶性窒素あるいは糖分を多量に蓄積させないことが重要であることを明らかにしている。
【０００８】
しかし、この場合においても、マグネシウムが欠乏すると珪酸の吸収が阻害され、珪化細胞の形成が不十分となるので、いもち病の抵抗性は減少することが明らかにされている。
【０００９】
【発明が解決しようとする課題】
従来、珪酸質肥料は溶成リン肥、鉱滓等を加工した珪酸カルシウム等が利用されてきたが、主として土壌改良としての利用であって、施用量が多く、く溶性の緩効性肥料であるため、圃場に施す作業の手間や植物の吸収し易さ等に問題があった。
【００１０】
勿論、土壌中には珪酸が非常に多く含まれているが、その大部分は水に不溶解性の形態のものであって、作物が吸収できるような形態のものは極めて少量しか含まれていない。
【００１１】
作物に吸収される形態の珪酸としては、水溶性で低分子量のオルト珪酸(正珪酸)であり、珪酸ゾルまたは珪酸ゲルのようなポリマー状珪酸の場合には、クエン酸など根酸で分解して低分子量の珪酸になってから吸収される。
【００１２】
また、近年、水溶性の珪酸に関する肥料として、マグネシウム、鉄等を含有させた液体珪酸カリ肥料(特開昭62−56389号公報、特公平５−61237号公報等)が知られているが、これら肥料の原料となる珪酸カリの水素イオン濃度(ｐＨ)は１１前後と高く、他の成分を含有させると沈殿の発生が避けられないため、液肥としての安定性は全くなくなるのみならず、強塩基のため作物にとってアルカリ障害を与え易く、製造上及び使用上に種々の制約があった。
【００１３】
従って、前述した珪酸、リン酸及びマグネシウムの三成分の相乗効果を発揮させようとする肥料としては、難溶性の複合固体肥料しかなく、作物に吸収し易い形態での液体肥料においては存在しなかった。
【００１４】
一方、コロイド状珪酸は、通常シリカゾルとして市販されているが、多くの人々に知られている一般的なシリカゾルは、ｐＨが９〜１１程度と高いものであり、これに他の成分を添加すると容易にゲル化や沈殿を起こし易い。また、酸性シリカゾルも市販されているが、その用途は限られており、これらのゾルは、繊維処理剤、接着剤、金属表面処理剤、塗料、土木材料等で主として用いられ、いずれのシリカゾルにあっても肥料成分としての使用に実用化されたことがない。
【００１５】
本発明者らは、上記問題点に鑑みて鋭意研究を重ねた結果、特定の性状の酸性珪酸ゾルを用い、リン酸質肥料成分及びマグネシウム質肥料成分を特定な割合で含有させたものはコロイド状珪酸として比較的安定に保存でき、且つこのコロイド状珪酸含有液体が植物に吸収され易い、水に可溶性のある形態であるとの知見に基づき、本発明を完成するに至ったものである。
【００１６】
即ち、本発明の目的は、植物の強化に不可欠な珪酸質肥料を吸収され易い状態のコロイド状珪酸含有液体肥料を提供することにある。
【００１７】
【課題を解決するための手段】
即ち、本発明が提供しようとするコロイド状珪酸含有液体肥料は、珪酸アルカリ水溶液をカチオン交換樹脂によるイオン交換で脱アルカリし、次に、酸またはアルカリで熟成してシロキサン結合を強化してビルドアップすることにより得られた安定なゾル粒子よりなる酸性珪酸ゾルに、肥効成分として少なくともリン酸質肥料成分及びマグネシウム質肥料成分を同時に含有させてなることを構成上の特徴とするものである。
【００１８】
【発明の実施の形態】
［１］コロイド状珪酸含有液体肥料
(１)構成成分(必須成分)
(ａ)酸性珪酸ゾル
本発明に係る液体肥料において用いられる酸性珪酸ゾルは、珪酸ゾル微粒子が良質の珪酸質肥効成分であると共に、液肥系の媒体としても機能する。
酸性珪酸ゾルは、いわゆるシリカゾルと称されるもので、珪酸アルカリ水溶液をカチオン交換樹脂によるイオン交換で脱アルカリして得られる。更に言えば、上記イオン交換後、シラノール基の多い活性シリカを酸またはアルカリで熟成してシロキサン結合を強化してビルドアップして安定なゾル粒子としたものである。
【００１９】
本発明では、３０ｎｍ以下の微粒なものが適当で、２０ｎｍ以下、とりわけ２〜１０ｎｍが好ましい。このように微細なシリカゾル粒子程好ましいが、安定性の点から下限は制限される。かかるシリカゾルは酸性ゾルで安定性を有することで、必然的にこれを媒体とする液体肥料としても酸性を保持したものでなければならない。特に、コロイド状珪酸含有液体肥料ｐＨとしては５以下、好ましくはｐＨ２〜４の範囲でシリカゾルが安定性を保持できるものである。
【００２０】
かかる酸性珪酸ゾルとしては例えばシリカドール２０Ａ、シリカドール２０ＳＡ［日本化学工業(株)社製］が好適に使用できる。
【００２１】
本発明におけるコロイド状珪酸含有液体肥料において、酸性珪酸ゾルの含有量は使用する場所や組成等によって異なるけれども、ＳｉＯ2換算量で１〜１０重量％、好ましくは２〜５重量％が好適である。この理由は、１０重量％を越えるとリン酸質肥料成分やマグネシウム質肥料成分とゆるやかな結合を作ってゲル化し易く、安定性に欠けるからであり、また、１重量％未満ではコロイド状珪酸含有液体肥料料としての特徴がなくなるからである。
【００２２】
(ｂ)リン酸質肥料成分
リン酸質肥料成分としては、リン酸根を含有する肥料で、液体と固体のいずれであってもよく、固体は目的により水溶性またはく溶性に分類される。
【００２３】
これらのリン酸質肥料は、例えば固体系のものとして過リン酸石灰［Ｃａ(Ｈ2ＰＯ4)2・Ｈ2Ｏ＋２ＣａＳＯ4］、重過リン酸石灰［Ｃａ(Ｈ2ＰＯ4)2・Ｈ2Ｏ］、リン酸アンモニウム［(ＮＨ4)3ＰＯ4］、リン酸マグネシウム［Ｍｇ3(ＰＯ4)2］、溶成リン肥(３ＭｇＯ・ＣａＯ・Ｐ2Ｏ5・３ＣａＳｉＯ2)、焼成リン肥［６Ｃａ3(ＰＯ4)2＋Ｃａ2ＳｉＯ4］、トーマスリン肥(５ＣａＯ・ＳｉＯ2・Ｐ2Ｏ5)等が挙げられる。
【００２４】
また、これらリン酸質肥料以外にも、骨粉、米ぬか等の天然リン酸肥料やリン鉱石粉末［Ｃａ10Ｆ2(ＰＯ4)6またはＣａ10(ＯＨ)2(ＰＯ4)6］等を挙げることができる。
【００２５】
これら粉体肥料は、コロイド状珪酸中に沈殿することなく、実質的に分散できるよう、可及的に微粉末であることが望ましい。
【００２６】
液体系リン酸質肥料成分のものとしてはリン酸、リン酸アンモニウム、リン酸カリウム、リン酸ナトリウムなどが挙げられるが、本発明では後者の液体系リン酸質肥料が好ましい。
【００２７】
（ｃ）マグネシウム質肥料成分
マグネシウム質肥料成分としては、硫酸苦土肥料(ＭｇＳＯ4・ｎＨ2Ｏ)、水酸化苦土肥料［Ｍｇ(ＯＨ)2・ＭｇＯ］、硝酸マグネシウム、腐植酸苦土肥料、炭酸苦土肥料(ＭｇＣＯ3)、珪酸苦土石灰肥料等を挙げることができる。これらの中でも、水溶性の硫酸苦土肥料、硝酸マグネシウムが好ましい。
【００２８】
以上の通り、本発明に係るコロイド状珪酸含有液体肥料は、水溶性のコロイド状珪酸を液媒として、リン酸質肥料及びマグネシウム質肥料成分とを溶解または分散させてなることを特徴とするが、使用目的により、必要に応じて、下記の肥効成分を任意に配合させることができる。
【００２９】
(２)その他の配合成分(任意成分)
(ｄ)窒素質肥料成分
窒素質肥料成分としては、硝酸アンモニウム、硝酸ソーダ等の硝酸塩類や、硫酸アンモニウム、塩化アンモニウム、リン酸アンモニウム等のアンモニウム塩類や、尿素や、石灰窒素等のシアナミド態窒素肥料や、グアニル窒素(ジシアンジアミドを酸性溶液中で加水分解して得た塩)、ウレアホルム(ホルムアルデヒド加工尿素)、ＩＢ(尿素とイソブチルアルデヒドの混合物)等の緩効性窒素肥料、魚肥、油粕類等の蛋白質態窒素を含む肥料等を挙げることができる。これらの中でも、尿素態窒素または硝酸態窒素を含む肥料を用いることが好ましい。
【００３０】
(ｅ)カリウム質肥料成分
カリウム質肥料成分としては、硫酸カリウム、塩化カリウム、珪酸カリウム、炭酸カリウム等を挙げることができる。これらの中でも、硫酸カリウム、塩化カリウムを用いることが好ましい。
【００３１】
(ｆ)カルシウム質肥料成分
上記カルシウム質肥料成分としては、生石灰、炭酸カルシウム、消石灰、塩化カルシウム等を挙げることができる。これらの中でも、塩化カルシウムを用いることが好ましい。
【００３２】
(ｇ)微量要素成分
微量要素成分としては、鉄成分、マンガン成分、銅成分、亜鉛成分、モリブデン成分、コバルト成分、硼素成分等を挙げることができる。
【００３３】
(ｈ)安定剤
本発明に係るコロイド状珪酸含有液体肥料は、酸性珪酸ゾルと他の肥料成分との反応によりゲル化または沈殿生成を防ぐための安定剤を液組成の如何に応じて配合させることができる。かかる安定剤としては、クエン酸、リンゴ酸、乳酸などのオキシカルボン酸、グリシン、ＥＤＴＡ、ＮＴＡなどのアミノ酸、キレート能を有するホスホン酸、アミノホスホン酸、それら酸のアンモニウム塩、カリウム塩、ナトリウム塩、アミン塩、ピロリン酸カリウム、トリポリリン酸ナトリウム、ヘキサメタリン酸カリウムなとが挙げられる。これらは、珪酸イオンや金属イオンと配位させて、キレート化合物を形成させ、液体肥料の貯蔵安定性に有効に作用することができる。
【００３４】
(３)配合割合
本発明に係わる液体肥料は、上記のように酸性珪酸ゾルに肥効成分として少なくともリン酸質肥料成分及びマグネシウム質肥料成分を同時に含有させたものであり、また、実際の施肥や土壌成分に応じて、必要により、窒素、カリウム、カルシウム及び／または微量要素等の肥効成分を任意に配合させることができる。
【００３５】
従って、かかる液体肥料１００重量部当たり、ＳｉＯ2として１〜１０重量％、Ｐ2Ｏ5として１〜７重量％及びＭｇＯとして１〜７重量％、その他の肥効成分は、Ｎ、Ｋ2Ｏ、ＣａＯとして、いずれも０〜２.５重量％の範囲にあり、Ｚｎ、Ｍｎ、Ｍｏ、Ｂ等の微量要素も適宜少量配合されうる。ただし、本発明にかかる液体肥料はｐＨ５以下の酸性であり、ｐＨ１〜４、特にｐＨ２〜４の範囲のものが良い。
【００３６】
上記の範囲は肥料としての成分の有効範囲と言うよりも、酸性珪酸ゾルを媒体とする液体肥料としての安定性の要請から定められたもので、この範囲を外れると、多くの場合、比較的短時間でゲル化し、コロイド状珪酸含有液体肥料としての特徴がなくなる。尤も、ゲル化しても肥効が失せるわけではなく、強力セン断力により、分散せしめれば、ゲルが解膠して、再びゾル化し、液体肥料として使用できることは勿論である。
【００３７】
(４)配合方法
上記酸性珪酸ゾル(ａ)と、リン酸肥料成分(ｂ)と、マグネシウム肥料成分(ｃ)の配合は、任意の方法で行うことができるが、酸性珪酸ゾル(ａ)に、上記配合割合のリン酸質肥料成分(ｂ)及びマグネシウム質肥料成分(ｃ)を徐々に添加し、混合することにより行うことが好ましい。
【００３８】
また、上記任意成分の窒素質肥料成分(ｄ)、カリウム質肥料成分(ｅ)、カルシウム質肥料成分(ｆ)及び微量要素(ｇ)の配合は、上記必須成分の配合と同時に配合するか、またはこれらを配合した後に配合することもできる。
【００３９】
本発明のコロイド状珪酸含有液体肥料は、酸性珪酸ゾルを使用することによって、多くの種類の肥料成分を含有させることを可能にしたものであるが、液体肥料としても、酸性でなければならず、上記したようにｐＨ５以下、ｐＨ２〜４の範囲が良い。
【００４０】
［２］施肥
本発明のコロイド状珪酸含有肥料は、肥料中に珪酸が植物体内に呼吸され易い微細なゾル状粒子の形態で存在しており、しかも、該肥料中に珪酸とリン酸とマグネシウムとがイオンまたは微粒懸濁状態で共に含有されていることから、植物体内に三成分が非常に吸収され易い速効性肥料と言うことができる。
【００４１】
従って、本発明のコロイド状珪酸含有液体肥料は、施設野菜施用、土中潅注施用、養液栽培施用、流し込み施用、芝草散布施用等として使用することができるが、中でも、水と混合し易い水耕法にて用いると、コロイド状珪酸が作物に良く吸収され易く、その効果を顕著に発揮することができる。
【００４２】
また、圃場においても、簡単な希釈用タンクと散水装置か、用水路を利用することにより施肥することを可能にし、従来の固体肥料の施肥と異なって、背負式散水機やブロードキャスターを用いることがないので、施肥方法において大きな省力化となる。
【００４３】
【実施例】
以下に示す実施例及び比較例によって、本発明を更に具体的に説明する。
実施例１
コロイド状珪酸含有液体肥料の調製
粒径が８ｎｍ、ＳｉＯ2含量が２.５重量％で、Ｎａ2Ｏ含量が０.０６重量％以下で、水素イオン濃度(ｐＨ)が４の物性を示す酸性珪酸ゾル［日本化学工業(株)社製造コロイド状珪酸(商品名「シリカドール２０ＳＡ」)］１００重量部に対して２μｍ以下に微粉砕した過リン酸石灰粉末をＰ2Ｏ5換算量で２.５重量部並びに硫酸苦土肥料をＭｇＯ換算量で５重量部の割合で配合し、１時間撹拌することによりコロイド状珪酸含有液体肥料(ｐＨ＝４.５)を調製した。この液体肥料は常温で６カ月以上安定であった。
【００４４】
水稲苗による吸収試験
水稲苗として４０日苗を用い、肥料として上記液体肥料を用いた。液体肥料処理区の珪酸がＳｉＯ2換算量として２０００ｐｐｍのコロイド状珪酸含有液体肥料１００ｍｌに、水４００ｍｌを添加して全量を５００ｍｌとしたものを用いた。
共通養分として市販の液体複合肥料［三井東圧化学工業(株)社製］ツバメ液肥１号を０.１ｍｌ添加した。
水耕液のｐＨは７.３〜７.７であり、５月１５日〜５月２８日の１３日間に反復して３〜４回与えて吸収させた。
その結果を以下の表１に示す。
【００４５】
【表１】
0004073506.tif 000002
本発明品区の水稲苗の茎葉中のＳｉＯ2含量は、無処理区の約３倍多く吸収されていた。
【００４６】
分けつ最盛期水稲による吸収試験
珪酸がＳｉＯ2換算量で１００ｐｐｍのコロイド状珪酸含有液体肥料液８００ｍｌに養分液肥を添加し、無処理区は水道水８００ｍｌに同じく養分液肥を添加した。７月８日〜７月１８日の１０日間に反復して３〜４回与え吸収させた。  その結果を以下の表２に示す。
【００４７】
【表２】
0004073506.tif 000003
本発明品区の分けつ最盛期水稲の茎葉中のＳｉＯ2含量は無処理区の約１.２倍多く吸収されていた。この分けつ最盛期水稲による吸収試験の再現テストの結果でも、溶液中のコロイド状珪酸は水稲根によって吸収されることが判った(コロイド珪酸の吸収比が水稲苗の結果より少ないのは、水耕液中のコロイド状珪酸の濃度が低いため、即ち、施用量が少ないためである)。
【００４８】
現地ゴルフ場の芝草によるコロイド状珪酸含有液体肥料の吸収試験
コロイド状珪酸含有液体肥料中の三大主要成分である珪酸、リン酸及びマグネシウムの芝草による吸収試験を行った。
試験方法
ＳｉＯ2、Ｐ2Ｏ5及びＭｇＯ濃度がそれぞれ２.５重量％のコロイド状珪酸含有液体肥料を２０倍に希釈し、４月２０日に第１回目の散布量を１平方メートル当たり２リットルとし、４月２１日に第２回目、４月２２日に第３回目の合計３回散布した後、２３日に芝生草を刈り取り、良く洗浄し、乾燥して分析試料とした。分析は(財)日本肥糧検定協会に依頼した。
その結果を以下の表３に示す。
【００４９】
【表３】
0004073506.tif 000004
本発明品区は無処理区よりも珪酸をＳｉＯ2として２１％、リン酸をＰ2Ｏ5として１８％、マグネシウムをＭｇＯとして２９％も多く吸収していることが判る。
芝草のように、散布施用しかできない植物に対して、しかも２〜３日の僅かな吸収時間で良く吸収されていることが明らかとなった。
【００５０】
実施例２
水稲土耕によるコロイド状珪酸含有液体肥料の三成分吸収試験
前述のマグネシウムと、リン酸と、珪酸の関係で、これら三成分をそれぞれ単独に施用するよりも三成分を同時に施用した方が三成分の相乗効果が働いて吸収が増加することをコロイド状珪酸含有液体肥料で検証するための水稲土耕試験を行った。その結果は予想した通りの好結果が得られた。
【００５１】
試験方法
▲１▼使用に供したコロイド状珪酸含有液体肥料及び比較のために用いた液体肥料を表４に示す。
【表４】
0004073506.tif 000005
【００５２】
下記の原料を所定量の水に溶解して上記組成の液体肥料を調製した。
ＳｉＯ2    ：酸性珪酸ゾル(シリカドール２０ＳＡ)
ＭｇＯ     ：硫酸マグネシウム［ダイヤケミカル(株)社製］
Ｐ2Ｏ5     ：リン酸［７５％リン酸：日本化学工業(株)社製］
Ｍｎ       ：硫酸マンガン(試薬１級)
Ｆｅ       ：硫酸第二鉄(試薬１級)
【００５３】
▲２▼試験規模：５万分の１のワグネルポットの土耕試験
現地水田から採取した分けつ最盛期の泥付き水稲株(根を損傷しないように泥付きのまま)を１ポット当たり３株ずつ移植した。水稲株の品種はコシヒカリであった。
▲３▼施用量：１ポット当たりに、原液１００ｍｌを適量の水で希釈して、注入した後、軽く土壌に混入させた。
▲４▼吸収期間及び分析：６月１０日処理−６月２４日採取(２週間の吸収)；分析試料は良く洗浄し、乾燥して分析試料とした。
【００５４】
分析結果
水稲茎葉中の三成分の分析結果は表５の通りであった。
【表５】
0004073506.tif 000006
僅か２週間の吸収期間で、単用のものよりも本発明品であるコロイド状珪酸含有液体肥料の方が、珪酸をＳｉＯ2として１１％、マグネシウムをＭｇＯとして１１％、リン酸をＰ2Ｏ5として８％多く吸収されていることが判明し、従って、水田土壌施用でも十分効果があることが判った。
【００５５】
【発明の効果】
本発明のコロイド状珪酸含有液体肥料は、貯蔵安定性があり、特定な性状のコロイド状珪酸が植物体内に吸収され易い液体の形態で存在しており、しかも、該肥料中に珪酸とリン酸とマグネシウムとが一緒に含まれていることからも、植物体内でリン酸を効率良く有効に働かせることができる。
従って、このような本発明のコロイド状珪酸含有液体肥料は、施設野菜施用、土中潅注施用、養液栽培施用、流し込み施用、芝草散布施用等として使用することができるが、中でも、本発明のコロイド状珪酸含有液体肥料は、液体肥料であることから、水と混合し易い水耕法にて用いると、コロイド状珪酸は作物に良く吸収され易く、その効果を顕著に発揮することができる。
また、圃場にて肥料を施す場合においても、簡単な希釈用タンクと散水装置か、用水路を利用することにより施肥することを可能にし、従来の固体の肥料の施肥する場合の背負式散水機やブロードキャスターを用いることがないので、施肥方法において大きく省力化することができる。